(57)【要約】  【課題】多穴を前提とする限り最小公倍数では対応が難しい上記のようなケースに鑑みて、比較的小ぶりのシートを中心に、綴じ杆とのピッチずれが拡大しないように綴じ杆との係り合い領域を比較的狭い範囲に制限し、その範囲で綴じ杆のピッチ違いを吸収して、綴じ杆のピッチの異なる綴じ具に汎用的に利用可能とした、新たな綴じ穴構造を備えた綴じ具用シートを提供する。  【解決手段】連続した３つの綴じ杆３１，３１，３１を受ける３つの受容部１２２、１２１，１２２を直列に配列するとともに、両端の受容部１２２を閉塞孔１２２ａとし、真ん中の受容部１２１を開放して構成することとした。  【選択図】図１
2010083113.tif 000002
【特許請求の範囲】
【請求項１】
綴じ杆を具備する綴じ具に取り付けて使用するものであって、
連続した３つの綴じ杆を受ける３つの受容部を直列に配列するとともに、両端の受容部を閉塞孔とし、真ん中の受容部を開放したことを特徴とする綴じ具用シート。
【請求項２】
真ん中の受容部は非閉塞孔である請求項１記載の綴じ具用シート。
【請求項３】
閉塞孔には、シート端部に向かってスリットを施してある請求項１又は２何れかに記載の綴じ具用シート。
【請求項４】
一対の閉塞孔のスリットが、閉塞孔の中心からシート端部に向かって平行に延びている請求項３記載の綴じ具用シート。
【請求項５】
綴じ杆に付帯することによってシート本来の主たる機能を発揮する主体部と、この主体部の一側縁に連なる突出部とを有し、前記突出部に受容部を配している請求項１〜４何れかに記載の綴じ具用シート。
【請求項６】
突出部よりも主体部の方が綴じ杆の配列方向に沿って拡幅している請求項５記載の綴じ具用シート。
【請求項７】
主体部には、付箋紙束を配している請求項５又は６何れかに記載の綴じ具用シート。
【請求項８】
シート状の突出部に対して、突出部よりも肉厚なペン収納部などの機能部を主体部の少なくとも一部に構成している請求項５又は６何れかに記載の綴じ具用シート。
【発明の詳細な説明】
【技術分野】
【０００１】
本発明は、紙葉類とともに綴じ杆に取り付けてファイリング補助具などとして使用可能な台紙シートなどの綴じ具用シートに関するものである。
【背景技術】
【０００２】
ファイリング補助具として、例えば特許文献１に示すもの等が知られている。このものは、表紙の一端側に設けた綴じ杆と、この綴じ杆に係合させたファイリング補助具とを備え、上記ファイリング補助具は、一方側に、上記綴じ杆に係止される孔を有し、他方側に被ファイリング体を係止する係止部を設けることによって、紙葉類とともにファイルに付帯させて補助具として利用することができるようになっている。綴じ杆に係止させる孔には、綴じ杆のピッチに合致した多数穴タイプと２穴タイプが示されている。
【０００３】
また、適用する綴じ杆のピッチは必ずしも一律ではないことに鑑み、綴じ穴を綴じ杆のピッチ違いに対応させたものとして、特許文献２に示すもの等が知られている。このものは、綴じ穴のピッチを、事務用箋の綴じ杆のピッチである９．５ｍｍとコンピュータ用箋の綴じ杆のピッチである１２．７ｍｍのほぼ最小公倍数である約３８ｍｍに設定すると共に、綴じ穴の各相互間に切除部を形成して多穴用箋を構成したものであり、９．５ｍｍピッチの事務用箋の綴じ杆にも１／２インチ（１２．７ｍｍ）ピッチのコンピュータ用箋の綴じ杆にも対応できる用箋としての利用を可能にしている。
【特許文献１】特開平１−２９４０９７号公報
【特許文献２】実開昭６０−７８４７４号公報
【発明の開示】
【発明が解決しようとする課題】
【０００４】
ところで、近時において、綴じ杆に付帯させるシートの種類は定規やカレンダーなどに見られるように多様化しており、綴じ杆を用いて構成されるノートの種類もバインダーノートやツインリングノート、システム手帳といった具合に多様化している。
【０００５】
そこで、特許文献１のようなシートを、特許文献２のような穴ピッチで構成することが考えられるが、バインダーノートでは穴径が５．５ｍｍ、穴のピッチが８．５ｍｍであり、システム手帳では穴径が４ｍｍ、１９ｍｍピッチであり、ツインリングノートでは、孔径１／４ｉｎｃｈ（６．３５ｍｍ）、ピッチ１／３ｉｎｃｈ（８．４６６ｍｍ）であるという具合に、穴ピッチすなわち綴じ杆のピッチはまちまちである。
【０００６】
そして、特にシステム手帳が１９ｍｍピッチであることから、バインダーノートの８．５ｍｍピッチとの最小公倍数はかなり大きな値となり、ツインリングノートとも同様の関係に立つ。したがって、最小公倍数のピッチで綴じ穴を形成すると、綴じ杆に挿入される綴じ穴の間隔が相当広がり、その間に本来存するべき多数の綴じ穴部分が切除部となって、多くの綴じ杆が切除部でフリーな状態となり、綴じ具としての用をなさなくなる。
【０００７】
本発明は、多穴を前提とする限り最小公倍数では対応が難しい上記のようなケースに鑑みて、比較的小ぶりのシートを中心に、綴じ杆とのピッチずれが拡大しないように綴じ杆との係り合い領域を比較的狭い範囲に制限し、その範囲で綴じ杆のピッチ違いを吸収して、綴じ杆のピッチの異なる綴じ具に汎用的に利用可能とした、新たな綴じ穴構造を備えた綴じ具用シートを提供することを目的としている。
【課題を解決するための手段】
【０００８】
本発明は、かかる目的を達成するために、次のような手段を講じたものである。
【０００９】
すなわち、本発明の綴じ具用シートは、綴じ杆を具備する綴じ具に取り付けて使用するものであって、連続した３つの綴じ杆を受ける３つの受容部を直列に配列するとともに、両端の受容部を閉塞孔とし、真ん中の受容部を開放したことを特徴とする。
【００１０】
このように構成すると、ピッチの大きい綴じ杆の場合は隣接する２つの綴じ杆を両端の受容部に受容し、真ん中の受容部をフリーにして使用することができ、ピッチの小さい綴じ杆の場合は綴じ杆を１つ飛ばしに両端の受容部に受容し、真ん中の綴じ杆を真ん中の受容部に受容することができる。そして、最小公倍数に準拠すると対応不可となる場合にも、受容部を３つに制限してピッチずれを許容できる範囲内で行うようにしているので、綴じ具の一部の綴じ杆を利用して適切な取付状態を実現することができる。しかも、真ん中の受容部は開放されているため、３つの受容部を閉塞孔とする場合に比して綴じ杆とのストレスを低減することができる一方で、両端の受容部は閉塞孔であるから、綴じ杆への取付状態を安定、確実ならしめることができる。
【００１１】
真ん中の受容部を開放しつつも、綴じ杆との係り合う多少なりとも持たせるためには、真ん中の受容部を非閉塞孔としておくことが好ましい。
【００１２】
特に、ツインリングノートのツインリングへの着脱を可能にしたり、綴じ杆に対する着脱の便を向上させるためには、閉塞孔に、シート端部に向かってスリットを施しておくことが望ましい。
【００１３】
特に、綴じ具用シートを撓ませたり捻ったりせずに綴じ杆に係り合わせることを可能にするためには、一対の閉塞孔のスリットが、閉塞孔の中心からシート端部に向かって平行に延びている形態が有効となる。
【００１４】
綴じ具用シート本来の機能を発揮する部位が綴じ杆との干渉等によってその機能を簡単に損なわれないようにするためには、綴じ杆に付帯することによって綴じ具用シート本来の主たる機能を発揮する主体部と、この主体部の一側縁に連なる突出部とを有し、前記突出部に受容部を配していることが望ましい。
【００１５】
受容部の数を制限して綴じ杆との適切な係り合い状態を確保しても、十分な使用領域を確保するためには、かかる受容部を設けた突出部よりも主体部の方を綴じ杆の配列方向に沿って拡幅した状態に設けておくことが望ましい。
【００１６】
上記の構造が特に有効となる綴じ具用シートの機能としては、主体部に付箋紙束を配しているものが挙げられる。
【００１７】
主体部には、これ以外に定規、カレンダー等を印刷して利用することができるのは勿論であるが、より拡張的な利用の形態を可能にするためには、シート状の突出部に対して、突出部よりも肉厚なペン収納部などの機能部を主体部の少なくとも一部に構成しておくことも有効となる。
【発明の効果】
【００１８】
本発明は、以上説明した構成であるから、綴じ杆のピッチ違いを吸収して綴じ具用シートの汎用性を有効に高めることができる。このため、綴じ具用シートの付帯していないノートに事後的に綴じ具用シートを採用したい場合や、新機能の綴じ具用シートが新たに開発された場合などに、ユーザーは既に所有しているノートに新たに綴じ具用シートを後付けして有効活用することができ、複数のノートで綴じ具用シートを使い回す効率的な利用の形態も可能となる。また、生産サイドにおいても、ノートの種類毎（綴じ杆の種類ごと）に綴じ具用シートを用意するのではなく、複数種類の綴じ杆に共用できる汎用的な綴じ具用シートを製造することで、生産効率を高め、コストダウンを有効に実現することが可能となる。
【発明を実施するための最良の形態】
【００１９】
以下、本発明の一実施形態を、図面を参照して説明する。
【００２０】
図１は、本実施形態の綴じ具用シート１（以下、「シート」と略称する）を適用したバインダーノート２を示している。このバインダーノート２は、綴じ具３の長手方向に多数のループ状をなす綴じ杆３１を所定ピッチで備えたもので、綴じ杆３１の配列方向（図１における紙面上下方向）の端部には操作部３２が設けられ、操作部３２を操作することにより、綴じ杆３１のループを中央の継目から半割りにして開放することができるものである。ＪＩＳ  Ｚ  ８３０３では、綴じ杆３１に綴じられる穴の直径は６±０．５ｍｍ、穴の中心から中心までの間隔は９．５±１．０ｍｍと規定されているため、図示バインダーノート２はこれに準拠して、紙葉類１００の内径ｄ１が６ｍｍ、ピッチＰ１が９．５ｍｍで作られている。綴じ杆３１のピッチＰ０も同様に９．５ｍｍである。穴数としては、Ｂ５判で２６穴、Ａ５判で２０穴、Ａ４判で３０穴のものが標準である。
【００２１】
一方、シート１は、図１及び図２に示すように、綴じ杆３１に付帯することによってシート本来の主たる機能を発揮する主体部１１と、この主体部の一側縁１１ａに連なる突出部１２とを設けた一律な薄肉の樹脂フィルムからなるもので、本実施形態では、素材にポリプロピレン（ＰＰ）や塩化ビニルやポリエチレンテレフタレート（ＰＥＴ）等が用いられている。主体部１１は、平面視ほぼ矩形状のもので、この実施形態では付箋紙束４を貼着するための台紙としての機能を備え、一部に複数種類の色を施した付箋紙束（図１では着色部分を色に応じて模様の違いで表してある）が配列して貼り付けてある。付箋紙束４自体は既知のもので、樹脂や紙などを素材とする付箋用の短冊を一端４ａ側において接着層を介して重合し、他端４ｂ側をめくることで上から１枚ずつ剥がしていくことができるものである。突出部１２は、図２に示すように主体部１１の一側縁１１ａの一部から綴じ杆３１方向に突出しているもので、綴じ杆３１の配列方向に沿った主体部１１および突出部１２の幅寸法Ｗ１，Ｗ２は、前者が後者に比して拡幅した寸法関係にあるように設定してある。
【００２２】
突出部１２には、突出端１２ａから主体部１１に向けて一部を切り欠くことによって真ん中の受容部１２１が設けてあり、この受容部１２１の両側に両端の受容部１２２が切り残した形で形成され、これら３つが直列をなして、連続した３つの綴じ杆３１，３１，３１を受ける３つの受容部１２２、１２１，１２２を構成している。
【００２３】
両端の受容部１２２は、周囲が閉じられた丸穴状の閉塞孔１２２ａからなるものであって、綴じ穴として機能すべく、孔径φ２が５．５ｍｍに設定され、閉塞孔１２２ａの中心間の距離ｄ２は１７ｍｍに設定されている。この２つの閉塞孔１２２ａに同時に挿入可能な２つの綴じ杆３１、３１間の関係については、図２（ｂ）に示すように閉塞孔１２２ａの外側いっぱいに収まるときの最大外法寸法Ｘ２１が、Ｘ２１＝ｄ２＋φ２＝１７＋５．５＝２２．５ｍｍとなり、図２（ｃ）に示すように閉塞孔１２２ａの内側いっぱいに収まるときの最小内法寸法Ｘ２２が、Ｘ２２＝ｄ２−φ２＝１７−５．５＝１１．５ｍｍとなる。綴じ杆３１を構成する線材の直径がαであるとすると、閉塞孔１２２ａに挿入可能な２つの綴じ杆３１の最大ピッチＰ２１はＸ２１−α、最小ピッチＰ２２はＸ２２＋αとなる。仮にα＝２．５ｍｍであれば、受容可能な綴じ杆３１の範囲は、最大ピッチでＰ２１＝２２．５−２．５＝２０ｍｍ、最小ピッチでＰ２２＝１１．５＋２．５＝１４ｍｍとなる。つまり、綴じ杆３１のピッチＰが、Ｐ２２≦Ｐ≦Ｐ２１であれば、このシート１の閉塞孔１２２ａに綴じ杆３１を受容することができる。図１および図２（ａ）の綴じ杆３１は既述したようにＰ＝１９ｍｍであるから、上記の範囲に収まる。
【００２４】
閉塞孔１２２ａには、図２（ａ）等に示すように、シート端部１２ａに向かってスリット１２２ｂが施してある。具体的には、一対の閉塞孔１２２ａのスリット１２２ｂは、閉塞孔１２２ａの中心からシート端部である突出端１２ａに向かって最短距離で当該突出端１２ａに到達する方向に平行に延びており、綴じ杆３１が押し付けられると、スリット１２２ｂが開いて閉塞孔１２２ａに綴じ杆３１を受容することができる構造になっている。このスリット１２２ｂの先端には三角ノッチ状に切り欠いたガイド面１２２ｃが設けてある。
【００２５】
真ん中の受容部１２１は、入り口１２１ａが等幅な溝状をなし、内方端１２１ｂが上記閉塞孔１２２ａを構成する丸穴の右半分の形に合致する部分丸穴形状をなすＵ字状の非閉塞孔であって、突出端１２ａ側に開放されている。非閉塞孔（受容部）１２１を構成する部分丸穴の孔径φ１は５．０ｍｍに設定し、隣の閉塞孔１２２ａとの中心間距離はｄ２／２＝１７／２＝８．５ｍｍに設定されている。
【００２６】
通常のバインダーノート２は、綴じ杆３１のピッチＰ０が９．５ｍｍであるため、１つ飛ばしにした場合の綴じ杆３１のピッチＰ２１は図２（ｂ）に示す１９ｍｍとなり、上述した受容可能な綴じ杆３１の範囲に収まり、両端の綴じ杆３１を対応する受容部１２２の閉塞孔１２２ａに受容することができる。この場合、両端の閉塞孔１２２ａに外側の綴じ杆３１が入れば、真ん中の非閉塞孔１２１には綴じ杆３１は当然入ることができる。
【００２７】
一方、図３（ａ）に示すツインリングノート５の綴じ具５１は、１本の線材を連続的に塑性変形加工して、各々折り返した２本の線条体から綴じ杆５１ａが構成されており、通常この種の綴じ杆５１ａの中心ピッチＰ５は８．４６６ｍｍであるから、１つ飛ばしにした場合の綴じ杆５１ａのピッチＰ５０は、１６．９３２ｍｍとなり、見掛け上の綴じ杆５１ａの径が４ｍｍ程度以内であれば、最小内法寸法は１６．９３２−４＝１２．９３２ｍｍとなって、図２（ｃ）に示す綴じ杆３１に近い状態で受容可能な範囲に収まる。すなわち、図３（ｂ）に示すように、両端の綴じ杆５１を対向する受容部１２２の閉塞孔１２２ａに受容することができる。ツインリングノート５の場合、線材自体の径が細く、２本の線材は相寄って容易に束になり易いため、見掛け上の径が５ｍｍ程度であっても特に問題とはならない。
【００２８】
さらに、図４（ａ）に示すシステム手帳６の綴じ具６１は、通常この種の綴じ杆６１ａのピッチＰ６が１９ｍｍであるから、図２（ｂ）に示す綴じ杆３１と同様の状態で受容可能な範囲に収まる。すなわち、図４（ｂ）に示すように、綴じ杆６１ａを対応する受容部１２２の閉塞孔１２２ａに受容することができる。但し、この場合、真ん中には綴じ杆６１ａは存在しないため、非閉塞孔１２１は非使用状態になるだけである。
【００２９】
このように、本実施形態の綴じ具用シート１は、両端の受容部１２２のみ、或いは両端の受容部１２２と真ん中の受容部１２１の双方に綴じ杆３１（５１ａ，６１ａ）を受容した状態で綴じ具３（５１，６１）に取り付けることができ、バインダーノート２、ツインリングノート５、システム手帳６の何れにおいても利用することが可能となる。
【００３０】
すなわち、本実施形態のシート１は、連続した３つの綴じ杆３１，３１，３１を受ける３つの受容部１２２、１２１，１２２を直列に配列するとともに、両端の受容部１２２を閉塞孔１２２ａとし、真ん中の受容部１２１を開放して構成しているので、図４に示したシステム手帳６のようにピッチの大きい綴じ杆６１ａの場合は隣接する２つの綴じ杆６１ａを両端の受容部１２２に受容するとともに、真ん中の受容部１２１をフリーにして使用することができ、ピッチの小さい図１のバインダーノート２や図３のツインリングノート５の綴じ杆３１，５１ａの場合は隣接する３綴じ杆３１，５１ａを１つ飛ばしに両端の受容部１２２に受容し、真ん中の綴じ杆３１，５１ａを真ん中の受容部１２１に受容することができる。そして、従来の特許文献１のように最小公倍数に準拠してピッチ違いに対応しようとすると実質的に対応不可となるような場合にも、受容部１２１，１２２を３つに制限してピッチずれが許容できる範囲内で綴じ杆３１、５１、６１ａとの嵌め合いを行うようにしているので、綴じ具３、５１、６１の綴じ杆３１，５１ａ、６１ａの一部に対して適切な取付状態を実現することができる。しかも、ピッチの小さい綴じ杆３１（５１ａ）に適用する場合にも、真ん中の受容部１２１は開放されているため、３つの受容部１２２、１２１，１２２を閉塞孔１２２ａとする場合に比して綴じ杆３１（５１ａ）とのストレスを低減することができる一方で、両端の受容部１２２は閉塞孔１２２ａであるから、ピッチの小さい綴じ杆３１（５１ａ）、ピッチの大きい綴じ杆６１ａの何れへの適用時にも、取付状態を安定、確実ならしめることができる。
【００３１】
特に、真ん中の受容部１２１を非閉塞の孔状とし、図１に示すように孔の入り口１２１ａの縁部を綴じ杆３１等に沿わせて配置することができるため、綴じ杆３１に沿ってシート１を、ページをめくるように回転せる場合の動作を安定させることができ、またシート１が綴じ杆３１の配列方向（図１における紙面上下方向）に引っ張られた際の取付強度を高めて、全体としてシート１の綴じ込み状態や使用状態を更に安定させることができる。
【００３２】
また、閉塞孔１２１ａには、図２等に示すようにシート端部である突出端１２ａに向かってスリット１２２ｂが施してあり、通常時は綴じ杆３１等を安定的に受容する一方、スリット１２２ｂを開きながら綴じ杆３１等を挿脱することができるので、シート１を着脱するにあたり、ループ状をなす綴じ杆３１等のループを逐一開閉する必要がなく、ループが開閉しない構造を有する図３の綴じ杆６１ａ等であってもシート１の着脱を適切に行うことができる。
【００３３】
この場合、一対の閉塞孔１２２ａのスリット１２２ｂを、閉塞孔１２２ａの中心からシート端部である突出端１２ａに向かって最短距離で平行に延びるように設けているので、スリット１２２ｂの間隔が対応する一対の綴じ杆３１、３１等のピッチにほぼ対応していれば、シート１を一定の方向に移動させるだけでそのままスリット１２２ｂが開いて閉塞孔１２２ａに綴じ杆３１等を受容することができ、無理な操作を全く必要とせずに綴じ杆３１等に対する着脱容易性を実現することができる。
【００３４】
また、仮に多少ピッチがずれていても、スリット１２２ｂの先端には三角ノッチ状に切り欠いたガイド面１２２ｃが設けてあるので、スリット１２２ｂを無理なく押し開いて閉塞孔１２２ａ内に綴じ杆３１等を受容することが可能である。
【００３５】
そして、シート１の具体的な形態として、綴じ杆３１等に付帯することによってシート本来の主たる機能を発揮する主体部１１と、この主体部１１の一側縁に連なる突出部１２とを有しており、突出部１２に受容部１２１，１２２を設けているので、主体部１１を綴じ杆３１等から遠ざけた適切な位置に配することができる。すなわち、突出部１２に受容部１２１，１２２を設けることで、主体部１１それ自体に受容部１２１，１２２を設ける場合に比べて、綴じ杆３１等との干渉を少なくして主体部１１の適正な使用状態を確保するとともに、綴じ杆３１等への着脱操作を更に容易ならしめることができる。
【００３６】
そして、上記のように突出部１２を幅狭としたことにより綴じ杆３１等への着脱容易性を損なわないようにしつつ、綴じ杆３１等の配列方向に沿って突出部１２よりも主体部１１の方を拡幅した形態にしているので、シート本来の機能を奏する主体部１１の使用領域を有効に拡張することができる。
【００３７】
そして、上記のように綴じ杆３１等から遠ざけた位置に当該綴じ杆３１等と干渉しないように主体部１１を設けているので、不用意に触れるとめくれ易い付箋紙束４を主体部１１に有効に配置してシート１を台紙シートとして適正に使用することが可能となる。
【００３８】
なお、シート１の主体部１１は綴じ杆３１等の配列方向に拡幅しているので、図５（ａ）に示す上記の付箋紙束４のほか、同図（ｂ）〜（ｄ）に示すように数や幅の異なる付箋紙束４ｂ、４ｃ、４ｄ等にも有効に対応することができる。また、図６に示すように突出部１２に対して主体部１１が更に綴じ杆配列方向（図中上下方向）に拡幅したシート１を用意して、より幅広な付箋紙束４０ａ、４０ｂを配すること等も容易に可能となる。勿論、図示しないが、綴じ杆配列方向と直交する方向（図６における紙面左右方向）に主体部１１を引き伸ばしたもの（図示省略）なども無理なく採用することが可能である。
【００３９】
以上、本発明の一実施形態について説明したが、各部の具体的な構成は、上述した実施形態のみに限定されるものではない。
【００４０】
例えば、図７に示すように、シート状の突出部１２に対して、突出部１２よりも肉厚なペン収納部８１などの機能部８を主体部１１の少なくとも一部とするシート１０１を構成してもよい。
【００４１】
このようなペン収納部８１などの機能部８は、肉厚であるためにシートのように紙葉類の上に重合させて綴じ込むと嵩張りの原因となるが、図示のように綴じ杆３１等から遠ざけた位置に綴じ杆３１等と干渉しないように主体部１１を設け、その主体部１１の少なくとも一部に機能部８を構成するようにすれば、紙葉類１００が綴じられている側と反対側に機能部８を配置するなどしてシート１０１の拡張的な使い方をすることもできるようになる。
【００４２】
その他、この綴じ具用シートを上記バインダーノートやツインリングノート、システム手帳以外のノートの綴じ具に適用するなど、本発明の趣旨を逸脱しない範囲で種々変形が可能である。
【図面の簡単な説明】
【００４３】
【図１】本発明の一実施形態に係る綴じ具用シートを適用したバインダーノートの構成図。
【図２】同バインダーノートの綴じ杆部分の詳細図。
【図３】シートを適用したツインリングノートの綴じ杆部分の詳細図。
【図４】シートを適用したシステム手帳の綴じ杆部分の詳細図。
【図５】シートに添付される付箋紙束のバリエーションを示す平面図。
【図６】シートに添付される付箋紙束の上記以外のバリエーションを示す平面図。
【図７】本発明の他の実施形態に係る綴じ具用シートを示す図。
【符号の説明】
【００４４】
１…綴じ具用シート
２…バインダーノート
３…綴じ具
４…付箋紙束
５…ツインリングノート
６…システム手帳
８…機能部
１１…主体部
１２…突出部
１２ａ…縁部
３１…綴じ杆
３２…操作部
５１…綴じ具
５１ａ…綴じ杆
６１…綴じ具
６１ａ…綴じ杆
８１…ペン収納部
１２１…受容部（非閉塞孔）
１２２…受容部
１２２ａ…閉塞孔
１２２ｂ…スリット
【図１】
2010083113.tif 000003
【図２】
2010083113.tif 000004
【図３】
2010083113.tif 000005
【図４】
2010083113.tif 000006
【図５】
2010083113.tif 000007
【図６】
2010083113.tif 000008
【図７】
2010083113.tif 000009